(57)【要約】【課題】本考案は、簡単な構造でありながらも羽根部を折り畳んで収納保持することが可能な把持部を有する団扇を提供することにある。【解決手段】本考案に係る団扇Ａは、折り畳み可能な羽根部１０と該羽根部に取着した把持部２０とから構成され、羽根部は、弾性環状線１１を備えた環状枠１２と、環状枠の内方に張られたシート１３とからなり、把持部は、内溝２３を有する断面コの字型の半円弧状であって、羽根部を取着する接続端２４には、環状枠を填め込む係合溝を形成した円板２５ａ、２５ｂが回転可能に挟持され、他端である把持部先端２８は把持部の回転方向と同方向の填め込み溝２９が形成され、羽根部が拡開している状態においては、把持部の填め込み溝に羽根部の環状枠を填め込むことが可能であり、羽根部の環状枠を３６０度捻りながら３重の輪に折り畳めば、把持部の内溝に収納することが可能である。【選択図】　　　　図１
0003097710.tif 000002
【実用新案登録請求の範囲】
【請求項１】
折り畳み可能な羽根部と該羽根部に取着した把持部とから構成され、
羽根部は、弾性環状線を備えた環状枠と、環状枠の内方に張られたシートとからなり、
把持部は、内溝を有する断面コの字型の半円弧状であって、羽根部を取着する接続端には、環状枠を填め込む係合溝を形成した円板が回転可能に挟持され、他端である先端部は把持部の回転方向と同方向の填め込み溝が形成され、
羽根部が拡開している状態においては、把持部の填め込み溝に羽根部の環状枠を填め込むことが可能であり、
羽根部の環状枠を３６０度捻りながら３重の輪に折り畳めば、把持部の内溝に収納することが可能である、
ことを特徴とする団扇。
【考案の詳細な説明】
【０００１】
【考案の属する技術分野】
本考案は、団扇に関し、特に折り畳み可能で携帯に便利な団扇に関する。
【０００２】
【従来の技術】
従来のこの種の折り畳み式団扇として、図５に示すように、把持部１０１と、羽根部１０２とから形成され、羽根部１０２は、拡開状態と縮退状態の２状態を採ることができ、把持部１０１は、拡開状態の羽根部１０２と縮退状態の羽根部１０２を保持し、羽根部１０２を構成する弾性環状体１０３と、弾性環状体１０３に張られる膜１０４は、概ね３６０度の捻り回転により縮退状態に変化して把持部１０１に収納保持される構成の団扇が知られている。
【０００３】
【考案が解決しようとする課題】
しかしながら、上記従来の団扇には、次のような問題点がある。すなわち、上記のような折り畳み方式は、元来、拡開状態にあるときは膜１０４が常に緊張状態にあり、また、縮退状態から拡開状態に変化させるときは弾性環状体１０３の弾性復元力により膜１０４に瞬間的に大きな引っ張り力が作用するので、膜１０４が破損し易い問題がある。一方、この種の折り畳み式団扇は宣伝媒体用に使用されたりするものであるから、耐久性を向上させることよりもコストが高くならないことが重要である。しかし、上記のような把持部１０１を採用すると構造が複雑であるためコスト高になるばかりでなく、耐久性があるため膜１０４が破損して団扇として機能しなくなっても、コスト高の要因である把持部１０１だけが残るという不具合が生ずる。
【０００４】
そこで、本考案者は、上記の欠点に鑑み、簡単な構造でありながらも羽根部を折り畳んで収納保持することが可能な把持部を開発し、これによりコストの低減を図ることが可能となった。
【０００５】
【課題を解決するための手段】
本考案に係る団扇は、折り畳み可能な羽根部と該羽根部に取着した把持部とから構成され、羽根部は、弾性環状線を備えた環状枠と、環状枠の内方に張られたシートとからなり、把持部は、内溝を有する断面コの字型の半円弧状であって、羽根部を取着する接続端には、環状枠を填め込む係合溝を形成した円板が回転可能に挟持され、他端である把持部先端は把持部の回転方向と同方向の填め込み溝が形成され、羽根部が拡開している状態においては、把持部の填め込み溝に羽根部の環状枠を填め込むことが可能であり、羽根部の環状枠を３６０度捻りながら３重の輪に折り畳めば、把持部の内溝に収納することが可能であることを特徴とするものである。
【０００６】
上記のように構成したため、羽根部を容易に折り畳むことができると共に折り畳んだ羽根部を把持部に収納することが可能である。また拡開して団扇として使用する場合には、羽根部の環状枠を把持部先端の填め込み溝に固定すれば、把持部の接続端と填め込み溝との２箇所で環状枠を固定できるので、羽根部を安定して支持できる。
【０００７】
【考案の実施の形態】
以下、本考案に係る団扇の実施例を添付の図面に基づいて説明する。
【０００８】
図１は羽根部を拡開して団扇を構成した状態を示す斜視図、図２は羽根部を折り畳んで把持部に収納した状態を示す斜視図、図３は拡開状態から折り畳み状態に移行する過程を示す斜視図、図４は把持部と羽根部との連結部及び把持部の分解図である。
【０００９】
図において、Ａは団扇を示し、団扇Ａは、折り畳み可能な羽根部１０と該羽根部１０に取着した把持部２０とから構成される。
【００１０】
羽根部１０は、常に直線状を維持するように弾性復元力が作用する弾性環状線１１を円形に曲げて構成した環状枠１２が構成され、その内方にシート１３が張設されたものである。実際の羽根部１０の形成方法は、円形のシート１３に対し、その周縁に沿って弾性環状線１１挿通用の通し部１４を縫着し、この通し部１４に弾性環状線１１を挿通して完成させる。
【００１１】
把持部２０は、相対向する壁部２１ａ、２１ｂと底面２２とから構成される断面コの字型の半円弧状であって、内溝２３が形成される形態をなしている。羽根部１０を取着する接続端２４には、２個一組の円板２５ａ、２５ｂが配されており、この円板２５ａ、２５ｂの相対向する面には、羽根部１０の弾性環状線１１が填り込む係合溝２６ａ、２６ｂが形成されている。そして、係合溝２６ａ、２６ｂに環状枠１２を填め込んで円板２５ａ、２５ｂを重ね合わせ、該円板２５ａ、２５ｂを接続端２４の内溝２３内に壁部２１ａ、２１ｂで挟み込まれるように収納してピン２７にて回転可能に軸支する。その結果、円板２５ａ、２５ｂが内溝２３内で回転可能になるので、羽根部１０と把持部２０とは相互に回転可能に取着されることとなる。
【００１２】
把持部２０の他端すなわち先端部２８には、羽根部１０に対して把持部２０が回転する方向と同方向に切欠した填め込み溝２９が形成されており、この填め込み溝２９は羽根部１０の環状枠１２を填め込むことができるようになっている。したがって、羽根部１０が拡開している状態においては、羽根部１０は、その周縁が把持部２０の接続端２４において回転可能に取着されると共に把持部２０の先端部２８に固定されるので、安定した状態で団扇として使用できる。
【００１３】
次に、本実施例における団扇Ａの折り畳み方法を図３に従って説明する。まず図１における団扇Ａの拡開状態から、図３の（１）に示すように、把持部２０の先端部２８から羽根部１０を矢符ａの方向に引き離し、羽根部１０を矢符ｂで示すように１８０度捻ると、団扇Ａは図３の（２）に示す状態となる。この図３の（２）に示す状態からさらに矢符ｃで示すように１８０度捻ると図３の（３）に示す状態となる。この図３の（３）に示す状態から矢符ｄで示すように羽根部１０の上部に形成された輪１０ａを下部に形成された輪１０ｂに近づけていくと、輪１０ａと輪１０ｂとの中間部１０ｃに輪が形成され、図３の（４）に示すように３つの輪が重なった３重の輪に折り畳まれた状態となり、この３重の輪に折り畳まれた羽根部１０を矢符ｅで示すように把持部２０の方へ回転させて把持部２０の内溝２３に収納すると図２に示す状態となる。
【００１４】
したがって、羽根部１０を容易に折り畳むことができると共に折り畳んだ羽根部１０を把持部２０に収納することが可能であるから携帯に便利である。
【００１５】
また、図２に示す折り畳み状態において、把持部２０の内溝２３から羽根部１０を引き出すと弾性環状線１１の復元力により、図３の（１）に示す拡開状態となり、羽根部１０の周縁部を把持部２０の先端部２８に形成した填め込み溝２９に填め込むと図１に示す状態となる。
【００１６】
このように本実施例の団扇Ａは、拡開して団扇として使用する場合には、羽根部１０の環状枠１２を把持部先端２８の填め込み溝２９に固定すれば、把持部２０の接続端２４と填め込み溝２９との２箇所で環状枠１２を固定できるので、羽根部１０を安定して支持でき、団扇として使用しやすい利点がある。
【００１７】
以上のように、本実施例における把持部２０は、簡単な構造でありながらも、上記のように羽根部１０を収納する機能を備え、かつ、羽根部１０を安定して支持固定する団扇の把持部として機能するものである。
【００１８】
【考案の効果】
本考案に係る団扇は、羽根部を容易に折り畳むことができると共に折り畳んだ羽根部を把持部に収納することが可能であるから携帯に便利である。また拡開して団扇として使用する場合には、羽根部の環状枠を把持部先端の填め込み溝に固定すれば、把持部の接続端と填め込み溝との２箇所で環状枠を固定できるので、羽根部を安定して支持でき、団扇として使用しやすい利点がある。しかも、この把持部は、簡単な構造でありながらも、上記のように羽根部を収納する機能を備え、かつ、羽根部を安定して支持固定する団扇の把持部として機能するものであるから、従来品よりも優れた機能を有することはもちろんコストの低減を図ることができる産業上極めて有用な団扇である。
【図面の簡単な説明】
【図１】本発明の実施例に係る団扇の羽根部を拡開して団扇を構成した状態を示す斜視図である。
【図２】本発明の実施例に係る団扇の羽根部を折り畳んで把持部に収納した状態を示す斜視図である。
【図３】本発明の実施例に係る団扇の拡開状態から折り畳み状態に移行する過程を示す斜視図である。
【図４】本発明の実施例に係る団扇の把持部と羽根部との連結部及び把持部の分解斜視図である。
【図５】従来例を示す斜視図である。
【符号の説明】
Ａ・・・団扇
１０・・羽根部　　　　　　　１１・・弾性環状線
１２・・環状枠　　　　　　　１３・・シート
２０・・把持部　　　　　　　２１ａ、２１ｂ・・把持部の壁部
２２・・把持部の底面　　　　２３・・内溝
２４・・接続端　　　　　　　２５ａ、２５ｂ・・円板
２６ａ、２６ｂ・・係合溝　　２７・・ピン
２８・・把持部の先端部　　　２９・・填め込み溝
【図１】
0003097710.tif 000003
【図２】
0003097710.tif 000004
【図３】
0003097710.tif 000005
【図４】
0003097710.tif 000006
【図５】
0003097710.tif 000007